(57)【特許請求の範囲】
【請求項１】
クラウン（１０）内にカットされた第一の予め定められた数の切子面（２５乃至２７；５５乃至５７）と中央の幾何学的対称軸のまわりのパビリオン（１１）内にカットされた第二の予め定められた数の切子面（２８，２９；５７，５９）とを有し、該クラウン切子面及びパビリオン切子面が該対称軸（１４）のまわりに実質上六角形の配列において配置されること、及びクラウン（１０）及びパビリオン（１１）を分離するガードル（１２）が６個の丸くされた突出部分（２１）と６個の丸くされたくぼみ部分（２２）とをもつローブ形の形状の輪郭（２０）を有することにより特徴づけられるカットされた宝石。
【請求項２】
ダイヤモンド又はダイヤモンドの屈折率及び散乱と実質上等しい屈折率及び散乱を有する石から構成されることを特徴とする請求項１記載の宝石。
【請求項３】
該中央の幾何学的対称軸（１４）がダイヤモンドの三元対称結晶軸の一つに対応することを特徴とする請求項２記載の宝石。
【請求項４】
クラウン（１０）が実質上六角形の輪郭をもつテーブル（１６）と、各々テーブルの縁部とそれらの縁部の一つを共有する６個の第一の三角形の切子面（２５）と、６個の第一の切子面の間に介在する６個の第二の切子面（２６）と、各々第二の切子面の縁部とそれらの縁部の一つを共有する６個の第三の切子面（２７）とを有することを特徴とする請求項１〜３の何れかに記載の宝石。
【請求項５】
パビリオン（１１）が少なくとも６個の第四の切子面（２８）と、第四の切子面（２８）を分離する縁部の反対側上にガードルに隣接して配置された１２個の第五の切子面（２９）と、２個の隣接する第四の切子面（２８）の間に少なくとも部分的にキューレット（３１）に隣接して配置された６個の第六の切子面（３０）を有することを特徴とする請求項１〜４の何れかに記載の宝石。
【請求項６】
第二、第三及び第四の切子面（２６，２７，２８）が該幾何学的軸（１４）のまわりの第一の同一の角度的位置に従って配置され、ガードルの６個のくぼみ部分（２２）がこの第一の角度的位置に従って配置され、一方、第一及び第六の切子面（２５，３０）及び突出部分（２１）が第一の角度的位置から３０°だけオフセットされた第二の角度的位置に従って配置されることを特徴とする請求項４又は５に記載の宝石。
【請求項７】
テーブル（１６）及びキューレット（３１）の間のその高さがガードル（１２）の外直径（Ｄ）の０．５５及び０．７５倍の間に含まれ、第一の切子面（２５）、それぞれ第二の切子面（２６）、それぞれ第三の切子面（２７）、それぞれ第四の切子面（２８）及びそれぞれ第六の切子面（３０）がガードル（１２）の平面と１０°及び２５°、それぞれ１０°及び２５°、それぞれ２５°及び３５°、それぞれ３５°及び５５°及びそれぞれ２５°及び３５°の間に含まれる角度を形成することを特徴とする請求項６記載の宝石。
【請求項８】
クラウン（１０）が頂点（５０）を有し、且つこの後者を形成して、該幾何学的対称軸のまわりの第一の角度的位置に従って配置された６個の第一の切子面（５５）と、第一の切子面（５５）から３０°オフセットされた第二の角度的位置に従う中間位置に配置された６個の第二の切子面と、第一の角度的位置にガードル（１２）に隣接して配置された６個の第三の切子面（５７）を有することを特徴とする請求項１乃至３の何れかに記載の宝石。
【請求項９】
パビリオン（１１）がガードル（１２）に隣接して配置された少なくとも１２個の第四の切子面（５８）とキューレット（１４）に隣接して配置された１２個の第五の切子面（５９）とを有し、第五の切子面（５９）は各々２個の第四の切子面（５８）の間に部分的にこれらの切子面に対し１５°だけオフセットされた角度的位置において配置されることを特徴とする請求項１乃至３及び８の何れかに記載の宝石。
【請求項１０】
くぼみ部分（２２）、第一及び第三の切子面（５５，５７）及び第四の切子面（５５ａ）の半部が該第一の角度的位置に従い配置され、突出部分（２１）、第二の切子面（５６）及び第四の切子面の他の半部（５５ｂ）が第二の角度的位置に従って配置されることを特徴とする請求項８又は９に記載の宝石。
【請求項１１】
頂点（５０）とキューレット（６１）との間のその高さ（Ｈ）がガードル（１２）の外直径（Ｄ）の０．５及び０．７５倍の間に含まれること、第一の切子面（５５）、それぞれ第二の切子面（５６）、それぞれ第三の切子面（５７）、それぞれ第五の切子面（５９）がガードル（１２）の平面と８°及び２０°、それぞれ２０°及び２７°、それぞれ２０°及び３２°、それぞれ３０°及び５０°の間に含まれる角度を形成することを特徴とする請求項１０記載の宝石。
【請求項１２】
ガードルの突出部分（２１）がガードルの外直径（Ｄ）の０．１２５倍に実質上等しい曲率半径を有すること、及びガードルのくぼみ部分（２２）がガードルの外直径（Ｄ）の０．０６２倍に実質上等しい曲率半径を有することを特徴とする請求項１記載の宝石。
【請求項１３】
第一に凡てのクラウン（１０）切子面及びパビリオン（１１）切子面がカットされ、次いでガードル（１２）のローブ形の周辺（２０）が６個の丸くされた突出部分（２１）及び６個の丸くされたくぼみ部分（２２）を以てローブ形の形状に形成することによりカットされることを特徴とする請求項１に記載の宝石をカッティングするための方法。
【請求項１４】
ガードル（１２）のローブ形の周辺（２０）がレーザーカッティング装置によってカッティングされ、ガードルのカット面が研磨されることを特徴とする請求項１３に記載のカッティング方法。
【発明の詳細な説明】
【０００１】
【発明の属する技術分野】
本発明はクラウン内にカットされた第一の予め定められた数の切子面と中央の幾何学的対称軸のまわりのパビリオン内にカットされた第二の予め定められた数の切子面とを有するカットされた宝石（ジェム）に関する。
【０００２】
【従来の技術及び発明が解決しようとする課題】
多くの世紀の間、ジェムは粗く、カボションに、或いは種々のしばしば不規則な形状にカットされ、唯一の関心はジェムに可能な最大の容積を与えることであった。これらの古代の石はしばしばくすんでいて、光輝がなく、それはそれらの石が美しく研磨された時でもそうであった。現在はカッティングの技術が大いに発展した。カットは結晶光学の法則を遵守することにより科学的に遂行され、透明なジェムに対し最良の収量の光学的性能を得る様にされている。石に対して最大の光輝を与えることが求められ、それはそれらが受ける光の最大部分を外方へ反射する場合である。他方、ダイヤモンドは光の波長の函数としての屈折率の高い散乱を有する。強い散乱はダイヤモンドが示す輝きの源である。平行な表面をもつシートは輝きを示すことができず、又光が屈折によってばらばらにされることのない単純な反射により白い光を戻す石も輝きを示すことが出来ない。光がカットされたダイヤモンドの磨かれた切子面上の屈折及び反射によりばらばらにされる場合にのみ輝きが存在する。かくして「ブリリアント」カットが発達させられ、それらは更に更に改良され、例えばスイス特許６８４，３０１に述べられる如くである。これらのブリリアント（輝きのある）カットは一般にカットされる切子面をそれらを含む円錐の母線に対し平行におくことにより四方に通ずる幾何学的対称軸を有し、これらは数が４、又は４の倍数であり、例えば８の星（スター）、１６のクラウントライアングル及び１６のパビリオントライアングルの如きである。この様にカットされたダイヤモンドはオブザーバーに対し４倍の対称を有するイメージを戻す。
【０００３】
【課題を解決するための手段】
本発明の目的は、オリジナルな光学的効果と異なってデザインされた形状を得ることを可能にし、一方、非ブリリアントなカットの光輝（ブリリアンス）及び輝き（ファイヤー）の強度を保持する新しいジェムカットをつくり出すことである。この目的は請求項１に挙げられた特性により達成される。
【０００４】
この様にカットされたジェム、特にダイヤモンドはオブザーバーに向けて、一般に六角形の対称を有するイメージと光の反射の作用と６個の光線を出す星の様な異なる色合いを戻し、そこではローブ（葉）がオブザーバーにむけて玉虫色の光学的効果を戻す。
【０００５】
【発明の実施の形態】
好ましい態様によれば、ジェムはダイヤモンド又はダイヤモンドのものに実質上等しい屈折率及び散乱を有する石により構成される。
これらの特性を以て、光の作用の特に重要な光学的効果が得られる。
好ましくはその幾何学的対称の中央軸はダイヤモンドの対称の三元結晶軸の一つに対応する。
【０００６】
この特性は八面体の表面の一つの上でダイヤモンドを切り取ることによりテーブルのあるカットを得ることを可能にし、促進する。更に、切子面のカットの特性はかくして予め定められ且つ高精度を以て遂行され得る。
【０００７】
本発明は又ジェム、特にダイヤモンドをカットするプロセスに係り、先ず第一に、クラウン及びパビリオンの凡ての切子面がカットされ、次いでガードルのローブのついた周縁が丸くされた突出部をもつ６個の部分と丸くされたくぼみをもつ６個の部分においてローブを形成することによりカットされるという事実により特徴づけられる。
【０００８】
【実施例】
他の利益は添付の請求項に示された特徴及び以下により詳細に図面の助けを得て発明を説明する記述から明らかになるが、図面は実施例として二つの態様を示す。
【０００９】
図１〜３に図示されるカットされたジェムはダイヤモンドで、クラウン１０とガードル１２により分離されたパビリオン１１とを有する。このダイヤモンドのカットの幾何学的形状は対称の主たる要素として、六角形の回転の軸１４を有する。カットの切子面はかくして六角形の配置でこの軸のまわりに配置される。
【００１０】
この幾何学的対称軸は、好ましくは、もしカットさるべき原石のダイヤモンドの幾何学的形状が許容するならば、ダイヤモンドの結晶構造の三元結晶軸の一つと一致する。テーブル１６及びガードル１２の平面はかくして原石ダイヤモンドの八面体の切子面の一つに平行であって、これは原石ダイヤモンドの切り取りによりテーブル１６の位置を定めることを可能とし、テーブルがダイヤモンドの四重の結晶軸の一つに対し垂直である時に一般に必要である様な注意を要するのこぎり引きを回避し得る。
【００１１】
ガードル１２の輪郭２０は図４に示される如く、六角形の軸１４に対し垂直に見た時、６個の丸くされた突出部２１と６個の丸くされたくぼみ部２２とをもつローブ（葉形）のついた形状を有する。かくして、ガードル１２は最大の外方直径Ｄ、最小の内方直径Ｄｉ及び平均中間直径Ｄｍを有する。突出部分２１は曲率半径ｒ２を有し、これは実質上０．１２５Ｄに等しく、一方くぼみ部分２２の曲率半径ｒ３は実質上０．０６２Ｄに等しい。
【００１２】
クラウン１０はカットの正確度により六角形又は実質上六角形の形状のテーブル１６を有する。６個の第一の三角形の切子面２５は各々それらの縁部の一つがテーブルの縁部と共有する。６個の第二の切子面２６は第一の切子面の間に介在させられ、且つ６個の第三の切子面２７はそれらの縁部の一つが第二の切子面の縁部と共有し、ガードル１２へ連結される。
【００１３】
パビリオン１１は６個の第四の切子面２８と１２個の第五の切子面２９を有し、これらはガードルに隣接して第四の切子面を分離する縁部の反対側上に配置され、そして６個の第六の切子面３０はキューレット３１に隣接し２個の隣接する第四の切子面２８の間に部分的に配置される。
【００１４】
第二、第三及び第四の切子面２６，２７，２８並びにガードルのくぼんだ部分２２は六角形の幾何学的軸のまわりに第一の同一の角度的位置に従って配置され、一方、第一及び第六の切子面２５，３０及び突出部分２１は第一の角度的位置から３０°オフセットされた第２の角度的位置にある。かくしてクラウンの切子面、パビリオンの切子面及びガードルの輪郭の間には予め定められた対応性がある。
【００１５】
カットされたジェムの高さＨ、即ちそのテーブルとそのキューレットの間の高さは、好ましくは０．５５Ｄ及び０．７５Ｄの間、より好ましくは０．６Ｄに構成される。ガードルの面の上方のクラウンの高さＨｔは好ましくは０．１３Ｄであり、パビリオンの高さＨｃは好ましくは０．４７Ｄである。第一の切子面２５、それぞれ第二の切子面２６、それぞれ第三の切子面２７、それぞれ第四の切子面２８及びそれぞれ第六の切子面３０は１０°から２５°の間、それぞれ１０°及び２５°の間、それぞれ２５°及び３５°の間、それぞれ３５°乃至５５°の間及びそれぞれ２５°乃至３５°の間からなる角度をガードル１２の平面に対し形成する。
【００１６】
好ましくはガードルの反対側上にある第三及び第四の切子面２７及び２８はガードル１２の平面と３０°及び４２°の角度を形成する。
【００１７】
このジェムをカッティングするプロセスは第一に好ましくは八面体の面の一つに対し、平行な劈開によりテーブルを得ること、次いでクラウン及びパビリオンの異なる切子面をカッティングすることを含む。最後にガードル１２の星形のローブ形輪郭が６個の突出部分及び６個のくぼみ部分を以てカッティングされる。このカットは好ましくはレーザーカッティング装置の助けでなされる。ガードル１２のカット面は次いでレーザー燃焼による黒い炭化の凡ての痕跡が消失するまで研磨され且つ清浄化される。カットされたダイヤモンドの重量は原石ダイヤモンドの重量の約２５乃至１０％を維持する。このカットはそれ故高い収量を与えない。他方、このカットでカッティングされたダイヤモンドは六角形のローブ形のイメージの構造及び形状を有する全体の内部反射を得ることを可能とし、これはジェムに新しいオリジナルな光学的効果を与える。この六角形の対称がパビリオンの切子面上の全体の内部反射及びクラウンの切子面上の特異な反射と結びついて、その六角形の分布及び周辺のローブ形の故に、顕著且つオリジナルな輝きを得ることを可能とする。
【００１８】
図５乃至図７に示された第２の態様は又ガードル１２により分離されたクラウン１０及びパビリオン１１を含む。全体は又六角形の幾何学的形状を有し、中央の六角形の対称軸１４をもち、そのまわりに六角形の対称において切子面が配置される。幾何学的対称の軸は好ましくはダイヤモンドの結晶学的構造の三元対称軸の一つに対応する。ガードル１２は又ローブ形形状を有し、６個の丸くされた突出部分２１と６個の丸くされたくぼみ部分２２をもち、それらの部分の曲率半径は第一の態様のそれらと類似であり得る。
【００１９】
このケースにおいて、クラウン１０はテーブルである代わりに、六角形の幾何学的軸１４のまわりの第一の角度的位置に配置された６個の第一の三角形切子面５５により形成された頂点５０を有する。６個の第二の切子面５６は第一の角度的位置から３０°オフセットされた第二の角度的位置による中間的位置に配置され、又６個の第三の切子面５７は第一の角度的位置によりガードルに隣接して配置される。パビリオン１２はガードル１２に隣接して配置された１２個の第四の切子面５８とキューレット６１を形成する１２個の第五の切子面５９を有し、第五の切子面の各々は２個の第四の切子面の間に第四の切子面の位置に対して１５°だけ角度的にオフセットされた位置に配置される。
【００２０】
くぼみ部分２２、第一及び第三の切子面５５，５７及び第四の切子面の半部５８ａは第一の角度的位置に従い配置される。突出部分２１、第二の切子面５６及び第四の切子面の他の半部５８ｂは第二の角度的位置に従い配置される。
【００２１】
頂点５０及びキューレット６１の間の高さＨはガードル１２の外直径Ｄの０．５及び０．７５倍の間に構成される。好ましくはこの高さＨ、クラウンの高さＨｔ及びパビリオンの高さＨｃは０．５２Ｄ、０．１８Ｄ及び０．３５Ｄである。
【００２２】
第一の切子面５５、それぞれ第二の切子面５６、それぞれ第三の切子面５７、それぞれ第五の切子面５９はガードルの平面と８°及び２０°、それぞれ２０°及び２７°、それぞれ２０°及び３２°、それぞれ３０°乃至５０°の間に含まれる角度を形成する。好ましくはガードルの反対側上の第二及び第五の切子面５６及び５９はガードル１２の平面と２３°及び３４°の角度を形成する。
【００２３】
カッティングのプロセスはクラウン切子面１０及びパビリオン切子面１１が第一に六角形の軸１４のまわりにカットされるから同様であり、この軸は好ましくはダイヤモンドの三元結晶軸に一致し、次いでガードルのローブ形の輪郭が好ましくはレーザーでカットされるから同様である。
【００２４】
勿論、上述の態様は限定的ではなく、請求項１に規定された範囲内で凡ての所望の変形が実施され得る。特に本発明によるカットは又ダイヤモンドの屈折率及び散乱と類似乃至実質上等しい屈折率や散乱をもつ他の石及びジェムについて遂行され得る。代替の石の屈折率を考慮して切子面の傾斜の角度を変えることが望ましいかも知れない。従って切子面の角度は原石の形状に従って又変化され得る。他の補充の切子面も添加され得る。これらの切子面はそのケースに応じ、切子面のタイプ当たり３個までだけの数であり得る。ガードルのカッティングは更に他の適当な手段で遂行され得る。
【図面の簡単な説明】
【図１】第一の態様の上面図である。
【図２】第一の態様の底面図である。
【図３】第一の態様の側面図である。
【図４】第一の態様のガードルの外方輪郭のある特徴を示す図である。
【図５】第二の態様の上面図である。
【図６】第二の態様の底面図である。
【図７】第二の態様の側面図である。
【符号の説明】
１０…クラウン
１１…パビリオン
１２…ガードル
１４…幾何学的対称軸
１６…テーブル
２５，２６，２７，２８，２９，３０…切子面
【図１】
0003569492.tif 000002
【図２】
0003569492.tif 000003
【図３】
0003569492.tif 000004
【図４】
0003569492.tif 000005
【図５】
0003569492.tif 000006
【図６】
0003569492.tif 000007
【図７】
0003569492.tif 000008